(57)【要約】【課題】      動く照明具であって,センサに感応して上昇浮揚し中空を浮遊する浮遊照明具を提供する。【解決手段】      空気より比重の軽いガスを充填する袋体と、該袋体の内部に装備された発光源と、前記袋体に装備された上昇機構と、電源制御装置とからなり、充填したガスの浮揚力と、発光源および上昇機構を備えた袋体からなる風船体の自重とがバランスして（均衡して）いる構成である。また、袋体は、半透明の素材からなる風船体であり、内部に装備された発光源の光線を外部に透過する構造である。袋体の内部に装備される発光源は、単一または複数の色彩の光を発光する一個または複数個からなる発光ダイオードからなる構成である。【選択図】  図１
2005347169.tif 000002
【特許請求の範囲】
【請求項１】
空気より比重の軽いガスを充填する袋体と、該袋体の内部に装備された発光源と、前記袋体に装備された上昇機構と、電源制御装置とからなり、充填したガスの浮揚力と、発光源および上昇機構を備えた袋体からなる風船体の自重とがバランスして（均衡して）いることを特徴とする浮遊照明具
【請求項２】
前記袋体は、半透明の素材からなる風船体であり、内部に装備された発光源の光線を外部に透過することを特徴とする前記請求項１記載の浮遊照明具
【請求項３】
前記比重の軽いガスは、ヘリウムガスからなり、ガスが充填されると風船体が中空に浮遊（浮揚・浮遥）することを特徴とする前記請求項１記載の浮遊型照明具
【請求項４】
前記袋体の内部に装備される発光源は、単一または複数の色彩の光を発光する一個または複数個からなる発光ダイオードからなることを特徴とする前記請求項１記載の浮遊型照明具
【請求項５】
前記上昇機構は、袋体の底部に装着された棒状体の両端に装備された下向きに回転する２個のプロペラ体からなり、電源制御装置を作動させてプロペラを回転駆動することにより照明具本体が中空に上昇浮揚し、電源を切るとバランスを保って中空に浮遊しながら次第に自重で降下することを特徴とする前記請求項１記載の浮遊型照明具
【請求項６】
前記電源制御装置は、各種の外界の移動・明暗・音・温度の変化に感応するセンサによって自動的にＯＮ−ＯＦＦ作動することを特徴とする前記請求項１記載の浮遊型照明具
【請求項７】
前記電源制御装置は、赤外線センサ、光センサ、温度センサ、音センサの感応によりＯＮ作動して設定時間だけ回転駆動して適宜の時間経過後または再度のセンサの感応により電源をＯＦＦに作動する構成であり、物体の移動、太陽光の存在（夜明け）又は不存在（夜間）、発熱の有無、楽器の演奏音の存在によってセンサが感応して起動し、上昇浮揚し中空を浮遊するとともに、ＯＦＦ状態で本体の自重により次第に降下することを特徴とする前記請求項１記載の浮遊型照明具
【発明の詳細な説明】
【技術分野】
【０００１】
本発明は、中空を上下移動または浮遊する照明具に関し、特に比重の軽いガスを充填した袋体の中にＬＥＤと浮揚装置であるプロペラを装備してセンサに感応して電源をＯＮ−ＯＦＦすることにより照明具を中空に上昇浮揚させて一定時間中空を浮遊させてから降下した照明具を再度上昇浮揚させる浮遊照明具に関する。
【背景技術】
【０００２】
通常の証明具は照射する目的により、天井に装着されたり壁に装備されたり、または天井から吊り下げられたれ取り付けられたりする形式である。また、スタンドのように机上に据え置かれたり、街路灯のように埋設されるものもある。
室内照明の中には床に直に置かれる構造のものもある。装飾的には直接照明か間接照明かが工夫されているに止まる。従来の照明器具には、照明装置そのものが移動する形式のものは存在しないのが実情である。また、撮影等で照明自体を移動させたい場合は、照明を移動装置に搭載して、移動体を動かす事で照明を移動させていた。
【０００３】
室内の照明は、照明する対象が明確であり、照明対象に対して静止した状態で設置されるので照明装置を移動させる必要がなかった。そこで、電源の付近に固定する照明装置しか開発されていない。
移動可能な照明装置を開発する場合、照明具が直流である場合は、電源として装置に付随して移動する電池を装備する必要があり、交流で作動する場合は、電力を供給するための移動可能な形での配線が必要であり、電源から遠くには離れられないという問題があり、小規模の室内でさえ移動可能な照明装置は実現できなかったのが実情である。
【０００４】
室内照明は照明を移動する必要は少ない。従来は照明具を移動可能にすることを要請されても電池で実現するしかなかったが、室内で電池でなく照明具を移動可能にすることが望まれていた。特に、照明具を室内の中空に浮遊させることが実現できる装置の開発が期待されていた。
【特許文献１】特開平８−４４３０８号
【発明の開示】
【発明が解決しようとする課題】
【０００５】
本発明の目的は、動く照明具であって,センサに感応して上昇浮揚し中空を浮遊する浮遊照明具を提供することを目的とする。
【課題を解決するための手段】
【０００６】
上記問題を解決するため、本発明に係る浮遊照明具は、空気より比重の軽いガスを充填する袋体と、該袋体の内部に装備された発光源と、前記袋体に装備された上昇機構と、電源制御装置とからなり、充填したガスの浮揚力と、発光源および上昇機構を備えた袋体からなる風船体の自重とがバランスして（均衡して）いる構成である。
また、袋体は、半透明の素材からなる風船体であり、内部に装備された発光源の光線を外部に透過する構造である。
更に、比重の軽いガスは、ヘリウムガスからなり、ガスが充填されると風船体が中空に浮遊（浮揚・浮遥）する構成である。
また、袋体の内部に装備される発光源は、単一または複数の色彩の光を発光する一個または複数個からなる発光ダイオードからなる構成である。
【０００７】
上昇機構は、袋体の底部に装着された棒状体の両端に装備された下向きに回転する２個のプロペラ体からなり、電源制御装置を作動させてプロペラを回転駆動することにより照明具本体が中空に上昇浮揚し、電源を切るとバランスを保って中空に浮遊しながら次第に自重で降下する構成である。
また、電源制御装置は、各種の外界の移動・明暗・音・温度の変化に感応するセンサによって自動的にＯＮ−ＯＦＦ作動する構造である。
更に、電源制御装置は、赤外線センサ、光センサ、温度センサ、音センサの感応によりＯＮ作動して設定時間だけ回転駆動して適宜の時間経過後または再度のセンサの感応により電源をＯＦＦに作動する構成であり、物体の移動、太陽光の存在（夜明け）又は不存在（夜間）、発熱の有無、楽器の演奏音の存在によってセンサが感応して起動し、上昇浮揚し中空を浮遊するとともに、ＯＦＦ状態で本体の自重により次第に降下する構成である。
【発明の効果】
【０００８】
以上に説明したように本発明にかかる浮遊照明具によれば、
１  空気より比重の軽いガスを袋体に充填することにより、光源と上昇機構の装備されている風船体とをバランス（均衡）させ、上昇装置の作動で風船体が上方に浮揚するので中空に人工的な光を浮遊存在させることが可能となった。
２  ガスを充填する袋体が半透明の素材であるので、袋体内の光が外部にもれて中空に遥動する光が存在する幻想的な空間を作り出す。
３  空気より比重の軽いヘリウムガス等のガスを充填しているので、照明具は自在に浮遊（浮揚・浮遥）するので今までにない浮遊する照明の存在となる。
４  また、袋体の内部に装備される発光源を発光ダイオード（ＬＥＤ）とすることにより、照明具の重量を軽減して浮揚可能にするとともに、単一色に限らず、複数の色彩の発光ダイオードを選択することにより各種の色の発光を楽しむことが出来る。光の色を選択できるのでイメージカラーを採用することが可能となる。
【０００９】
５  底部に備えたプロペラを駆動させることによりガスによる浮遊状態に加えて電動で上昇するので、必要に応じて浮揚させることが可能であり、任意の時に浮遊させて宣伝広告にも使用することも出来る。
６  プロペラを駆動する電源に、外界の動きや明暗や音もしくは温度等に感応するセンサを装備させることにより、音楽の演奏に感応して上昇浮遊する照明具を提供することも可能である。
７  赤外線センサ、光センサ、温度センサ、音センサを装備して、照明具を上昇させるが、作動時間を設けて上昇を中断がさせることが可能となる。
【発明を実施するための最良の形態】
【００１０】
以下に本発明に係る浮遊照明具を図面に示す実施例により詳細に説明する。図１は本発明の浮遊照明具の側面図であり、図２は発光源の平面図であり、図３は上昇機構と発光源の側面図である。図４は電源制御装置の側面図であり、図５電源制御装置の平面図である。
本発明にかかる浮遊照明具１０は、袋体２０と、発光源３０と、上昇機構４０と、電源制御装置５０とからなり、空気より比重の軽いガスを袋体に充填して、発光源および上昇機構を備えた風船体の自重とバランスさせ、袋体内部の発光源を点灯すると同時に上昇機構を駆動して、風船体からなる照明具を浮揚させる構成である。
【００１１】
袋体２０は、半透明の素材からなり、後述するガス２２を充満させるように風船体２４に形成されており、内部には、後述する発光源３０が装備させている。半透明の素材は、内部から発光する光線を外部に透過する素材である。照明を透過させれば、半透明である必要は無いが袋体の内部を神秘的に覆い隠す事と、底部から発光される光線を袋体内に反射させる目的からも、半透明であることが望ましい。
【００１２】
袋体に充填されるガス２２は、空気より比重の軽いガスを充填することになる。安全性から、ガス風船に利用されているヘリウムガス等が望ましい。
充填される空気より比重の軽いガスは、全体として、発光源と上昇機構を装備した風船体の自重とガスの浮力がバランスして（均衡して）いる必要がある。ガスを充填することにより、発光源と上昇機構を装備した風船体は浮揚する。ガスが次第に漏洩散逸することを考えると、常態におけるガスの充填量は風船体が極端に上昇しない程度でかつ多少風船体が持ち上がる程度のガス量であることが望ましい。
風船体２４は、袋体２０と発光源３０と上昇機構４０とからなる。
【００１３】
発光源３０は、軽量の発光ダイオード（ＬＥＤ）３２から成る。発光ダイオードの種類およびその個数は問わない。また、発光ダイオードの発する色は、単一である場合も複数色であることも考えられる。
ダイオードの発光と上昇機構の駆動は直接関連しないので、ダイオードの電源と上昇機構の電源とは個別に操作出来るようにすることも可能である。この実施例では装置を単純化するために、発光ダイオードの点灯と上昇機構の駆動を同時に設定している。
図２で示すように、この実施では、ダイオードを放射線状に８方向に直線で配置しているが、ＬＥＤの配置はこれに限定されるもではなく又、個数や大きさもこれに限定されない。
【００１４】
上昇機構４０は、袋体の底部に装着された棒状体４２の両端に装備される。上昇機構は、回転駆動するプロペラ体４４からなり、この実施例では図３に示すとおり棒状体４２の両端に下向きに回転するように２個のプロペラ体が装備されている。プロペラを下向きに回転駆動させることによりプロペラ回転の浮揚力により風船体２４は静かに浮上を開始し、電源が切れるまでプロペラが回転して上昇浮遊することになる。ただし、室内では天井に到達するので、上昇範囲は限定されている。また、照明する対象もあるので、天井付近を照明することに意義は無いので、電源コードの長さを制限することにより上昇する範囲を限定している。
プロペラ体の構成は、この実施例では２枚羽を用いているが、複数枚であっても良い。
【００１５】
電源制御装置５０は、各種のセンサと連結したＯＮ−ＯＦＦ制御装置である。外界の動きや明暗の変化、または音の発生若しくは温度の変化に感応するセンサによって電源を自動的にＯＮ−ＯＦＦ作動するものであり、本発明では、図１に示すように、浮遊する照明具のステーションとして、机上または床の上に設置される。
制御方法としては、一定の設定時間だけ駆動する構成も可能であるが、さらに、センサの反応により、ＯＦＦ作動をする仕掛けであってもよい。
【００１６】
センサの種類は問わないが、各種のセンサを装着することが可能である。勿論センサを伴わない、単なる開閉装置であっても良い。
センサとしては、赤外線センサ、光センサ、温度センサ、音センサ等の装着が考えられる。これにより各種の物体の移動や、太陽光の存在（夜明け）又は不在（夜間）によって、自動的にＯＮ−ＯＦＦ作動させることも可能であり、発熱の有無、楽器の演奏音の存在によってセンサが感応して起動し、上昇浮揚し中空を浮遊するとともに、ＯＦＦ状態で本体の自重により次第に降下する構成とすることができる。
【００１７】
本発明にかかる浮遊照明具は、装置的には上下移動または単に浮遊する構成ではあるが、自然界の風による横方向の気流によって上昇下降に横方向の動きが加わって、室内を不規則に浮遊しているようの動きを作ることが可能である。
その他にも、室内の換気または排気の為の建物内の空気は給気および排気のためのベンチレーションや、冷暖房のための送風や、空気浄化装置の清浄空気の供給等々によっても常に空気の流れがあり、気流によって左右にも移動するので、上昇と下降に加えて横方向の動きも加わるので中空をフラフラとあてどなく浮遊しているような状態を実現することが出来る。
【００１８】
体育館やイベント会場における位置の表示として使用する場合は、リード線を比較的長めに設定して、高い天井まで浮遊可能にすることができる。この場合、長いリード線の自重も含めた重さと風船体に充填するガスの量と浮揚力とを調節して、バランスを取る必要がある。
【図面の簡単な説明】
【００１９】
【図１】浮遊照明具の側面図
【図２】発光源の平面図
【図３】上昇機構と発光源の側面図
【図４】電源制御装置の側面図
【図５】電源制御装置の平面図
【符号の説明】
【００２０】
１０      浮遊照明具
２０      袋体
２２      ガス
２４      風船体
３０      発光源
３２      発光ダイオ−ド
４０      上昇機構
４２      棒状体
４４      プロペラ体
５０      電源制御装置
５２      センサ
【図１】
2005347169.tif 000003
【図２】
2005347169.tif 000004
【図３】
2005347169.tif 000005
【図４】
2005347169.tif 000006
【図５】
2005347169.tif 000007